(57)【要約】【課題】  半割ダミーボトルに対する表示片の取付けに際して、表示片を半割ダミーボトルに簡単に着脱操作し、さらに表示片の取付けと同時に該表示片の向きを表示に適した正面の向きに起立させる。【解決手段】  １枚の可撓性を有する樹脂製シートの上部に、文字や図柄の広告情報を表示する表示部を有し、前記樹脂製シートの下部に、該シートを上側と下側とに切離す切込みを入れ、該切込み部分より前記半割ダミーボトルの首部を挿通させ、且つ前記半割ダミーボトルの傾斜面部を前面側と背面側とから挟み込む該切込み部分の切込み方向を前記傾斜面部に沿う山形の曲線に設けた曲線切込みラインと、前記曲線切込みラインの上下に分離された上側ラインの中央部には、前記半割ダミーボトルの前面側の傾斜面部に当接させて略垂直な取付け姿勢に位置規制させる下向きの舌片とを有する半割ダミーボトル用表示片を構成する。【選択図】  図１
0003116089.tif 000002
【実用新案登録請求の範囲】
【請求項１】
上部の首部から肩部にかけて傾斜する傾斜面部を隔てて下部の胴部につながる中空半割状のダミーボトルの前記傾斜面部に取付けて自動販売機用に展示する半割ダミーボトル用表示片であって、
１枚の可撓性を有する樹脂製シートの上部に、文字や図柄の広告情報を表示する表示部を有し、
前記樹脂製シートの下部に、該シートを上側と下側とに切離す切込みを入れ、該切込み部分より前記半割ダミーボトルの首部を挿通させ、且つ前記半割ダミーボトルの傾斜面部を前面側と背面側とから挟み込む該切込み部分の切込み方向を前記傾斜面部に沿う山形の曲線に設けた曲線切込みラインと、
前記曲線切込みラインの上下に分離された上側ラインの中央部には、前記半割ダミーボトルの前面側の傾斜面部に当接させて略垂直な取付け姿勢に位置規制させる下向きの舌片とを有する
半割ダミーボトル用表示片。
【請求項２】
前記曲線切込みラインの両端部に、該曲線切込みライン間を大きく開口させるための切抜き部を有する
請求項１に記載の半割ダミーボトル用表示片。
【請求項３】
前記曲線切込みラインの両端部に、前記傾斜面部に対応する半割ダミーボトルの半割稜線上に係止させる係止部を有する
請求項１または２に記載の半割ダミーボトル用表示片。
【考案の詳細な説明】
【技術分野】
【０００１】
この考案は、自動販売機に展示される中空半割状のダミーボトルに関し、さらに詳しくは新たな商品情報を付加するために取付けて使用される装着性に優れた半割ダミーボトル用表示片に関する。
【背景技術】
【０００２】
一般に、自動販売機の前面に設けられる展示コーナには、販売商品の見本であるダミー商品の複数種類が展示されている。さらに、ダミー商品によっては、商品特有の情報を顧客にアピールするため、広告用の表示片が取付けられている。
【０００３】
例えば、特許文献１ではダミー商品の製作時に、半割り状の本体と広告用シートとを一体に連設して製作しておいて、広告用シートの後付けを省略したものが開示されている。ところが、この場合は半割り状の本体と広告用シートとが一体化しているため、半割り状の本体から広告用シートを一旦取外すと該広告用シートは再装着不能になり、広告用シートを単独には使用できなかった。
【０００４】
さらに、特許文献２では中空半割状のダミー商品の首部に対し、その首部に嵌め込んで取付ける広告用タグが開示されている。  
しかし、この場合は広告用タグに、ダミー商品の首部を嵌め込むための半月状の開口を要し、さらにダミー商品に取付けたときの広告用タグの立姿を維持させるためにダミー商品の背面側から垂直に当接させる長い舌片を要し、また取付け後にダミー商品の前面で表示部を水平状態から略垂直状態に折曲げて立ち上げるための折り目線を要して該広告用タグの構造が複雑であるほか、取付け時に折り目線を折曲げて起立させる取付け作業を要して取付けに手間が掛かり、簡単に取付けられない問題を有していた。
【特許文献１】実用新案登録３０９１４９９号
【特許文献２】実用新案登録３１０４９２３号
【考案の開示】
【考案が解決しようとする課題】
【０００５】
そこでこの考案は、半割ダミーボトルに対する表示片の取付けに際して、表示片を半割ダミーボトルに簡単に着脱操作できる着脱構造を有し、さらに半割ダミーボトルの取付け面に安定して接触させることができる接触構造を有し、また取付けと同時に表示部の向きを表示に適した正面の向きに自然に向かせることができる起立構造を有する半割ダミーボトル用表示片を提供することを目的とする。
【課題を解決するための手段】
【０００６】
この考案は、上部の首部から肩部にかけて傾斜する傾斜面部を隔てて下部の胴部につながる中空半割状のダミーボトルの前記傾斜面部に取付けて自動販売機用に展示する半割ダミーボトル用表示片であって、１枚の可撓性を有する樹脂製シートの上部に、文字や図柄の広告情報を表示する表示部を有し、前記樹脂製シートの下部に、該シートを上側と下側とに切離す切込みを入れ、該切込み部分より前記半割ダミーボトルの首部を挿通させ、且つ前記半割ダミーボトルの傾斜面部を前面側と背面側とから挟み込む該切込み部分の切込み方向を前記傾斜面部に沿う山形の曲線に設けた曲線切込みラインと、前記曲線切込みラインの上下に分離された上側ラインの中央部には、前記半割ダミーボトルの前面側の傾斜面部に当接させて略垂直な取付け姿勢に位置規制させる下向きの舌片とを有することを特徴とする。
【０００７】
この考案の態様として、前記曲線切込みラインの両端部に、該曲線切込みライン間を大きく開口させるための切抜き部を設けることができる。
【０００８】
またこの考案の態様として、前記曲線切込みラインの両端部に、前記傾斜面部に対応する半割ダミーボトルの半割稜線上に係止させる係止部を設けることができる。
【考案の効果】
【０００９】
この考案によると、表示片の曲線切込みラインを境にして開口することができ、この開口を半割ダミーボトルの上方から挿通して離せば、この開口した曲線切込みラインの開口縁が半割ダミーボトルの前後面より閉じて挟持するため、この表示片を半割ダミーボトルに簡単に取付けることができ、表示片の着脱操作性が向上する。ことに、表示片を取付けたとき、曲線切込みラインの曲線部が半割ダミーボトルの傾斜面部に沿って長く線接触するため安定した取付けができる。また、取付けと同時に表示片の表示部の向きを舌片によって垂直に起立させることができ、表示部に対しても取付け時に正面に向かせて表示片の取付けの容易化を図ることができる。このため、表示片の取付け作業能率が向上する。
【実施例】
【００１０】
この考案の一実施例を以下図面に基づいて説明する。  
図１は自動販売機の前面に見本商品として展示される半割ダミーボトルの表示片１１を示し、この表示片１１は薄くて可撓性を有する透明の合成樹脂材、例えばポリエチレン等を素材とする１枚の透明な樹脂製シートから任意の形状に打抜き形成して製作することができる。そして、この樹脂製シートの上部を表示部１２に設定し、下部を取付け部１３に設定して構成している。
【００１１】
図２は表示片１１を取付けた半割ダミーボトル１４の斜視図を示し、この半割ダミーボトル１４の形状は、上部の首部１４ａから肩部１４ｂにかけてテーパ状に傾斜する傾斜面部１４ｃを隔てて下部の胴部１４ｄにつながる中空半割状に設けられている。そして、この半割ダミーボトル１４の半円形状の傾斜面部１４ｃに対して、シート状の表示片１１を該傾斜面部１４ｃのテーパ面に沿わせて取付ける。
【００１２】
前記表示片１１の上部に設けられる表示部１２は、樹脂製シートの上面に商品価値を高めるための文字や図柄の広告情報１２ａを印刷している。この表示部１２の大きさは半割ダミーボトル１４に取付けた際に、自動販売機の展示コーナで並列される隣の半割ダミーボトルの表示片と並列配置方向で重ならない大きさに設ける。例えば、ボトル幅に対応させた長さを有する横長の長方形状に設ける。この表示部１２の外形状は任意の形状に設けることができ、商品の販売に適した形状に設けることができる。
【００１３】
表示片１１の下部に設けられる取付け部１３は、半割ダミーボトル１４に取付けるために、曲線切込みライン１５と、舌片１６と、切抜き部１７とを有している。  
まず、曲線切込みライン１５は、取付け部１３の中央部に上側シート１３ａと下側シート１３ｂとに切離す横方向の切込みを入れており、該切込み部分を境にして上側シート１３ａと下側シート１３ｂを前後に引離してずらせば開口し、この開口部分より半割ダミーボトル１４の首部１４ａを挿通させ、挿通後に上側シート１３ａと下側シート１３ｂの開口縁が閉じようとすることにより半割ダミーボトル１４の傾斜面部１４ｃを前面側と背面側とから挟み込ませることができる。そして、該曲線切込みライン１５の切込み部分の切込み方向を、前記傾斜面部１４ｃに沿って長く線接触させるなだらかな山形の切込み曲線に設けている。
【００１４】
この曲線切込みライン１５をなだらかな山形の曲線にするのは、傾斜面部１４ｃを前面側と背面側とから挟み込むように対向する上側シート１３ａと下側シート１３ｂの開口縁が傾斜面部１４ｃに沿って湾曲し、このうち後述する下側シート１３ｂが長く傾斜面部１４ｃに線接触して安定した取付けが得られるようにするためである。このため、曲線切込みライン１５の曲線の向きは、傾斜面部１４ｃの傾斜角度に対応する山形の曲線に形成するのが適している。
【００１５】
また、曲線切込みライン１５の長さは、上側シート１３ａと下側シート１３ｂとを区切る曲線切込みライン１５を境にして開けた開口部に、前記半割ダミーボトル１４の首部１４ａを余裕をもって挿通できる開口空間を確保できる長さに設ける。
【００１６】
前記上側シート１３ａは中央上部が前記横長の長方形状を有する表示部１２の中央下部と同一の樹脂製シートにて接続されて、該表示片１１の上部の表示部１２と下部の取付け部１３とを上下に一体化している。さらに、上側シート１３ａは両側上部の外形状を曲線切込みライン１５の上側で平行する同じ曲線の外形状にかたどってなだらかな山形曲線の虹形状に設けられている。これにより、上側シート１３ａと下側シート１３ｂとを前後に引離して開口操作するときに、該上側シート１３ａが開口方向に湾曲しやすく開口操作が容易になる。また、なだらかな曲線のため美観にも優れている。従って、曲線切込みライン１５を開口すれば、半割ダミーボトル１４の傾斜面部１４ｃに表示片１１を簡単に取付けることができる。
【００１７】
また、上側シート１３ａの中央下部には、傾斜面部１４ｃの前面側中央部に当接させて、上部の表示部１２を略垂直な取付け姿勢に位置規制させる下向きの短い舌片１６を有している。この舌片１６を設けることによって、舌片１６及び上部の表示部１２は垂直になり、表示片１１の取付けと同時に表示部１２の向きを正面に向かせた起立姿勢に維持させることができる。このため、表示部１２に対する表示方向の調整のための折曲げ作業等が不要になり、該表示片１１の取付け作業が簡単になる。
【００１８】
さらに、曲線切込みライン１５の両端部には表示片１１の取付け性能の安定化を図るための切抜き部１７を設けている。この切抜き部１７は小さな円形に切抜いて設け、この円形の切抜き部１７を設けることにより曲線切込みライン１５を境にして上側シート１３ａと下側シート１３ｂとを前後にずらして大きく開口するときの開口抵抗を少なくし、且つ曲線切込みライン１５の端部に相当する開口端部に亀裂が生じないようにしている。さらに、表示片１１を半割ダミーボトル１４に取付けるときに、図３の断面図にも示すように、該表示片１１の左右の切抜き部１７を、半割ダミーボトル１４の傾斜面部１４ｃの背面側に対応する左右の半割稜線部１４ｅに係止しやすい円形に開口している。
【００１９】
また、表示片１１を半割ダミーボトル１４の傾斜面部１４ｃに取付けたとき、半割ダミーボトル１４の前面側では、図４の表示片前面側の取付け状態を表す正面図に示すように、表示片中央部の舌片１６と、その両側の切抜き部１７とで表示片１１の前面側は３点支持される。このため、該表示片１１の前面側ではぐらつかず、安定した取付けとなり、また適正な取付け位置に位置決めしやすくなる。
【００２０】
一方、半割ダミーボトル１４の背面側では、図５の表示片背面側の取付け状態を表す背面図に示すように、下側シート１３ｂの開口縁が傾斜面部１４ｃの背面に沿うように撓んで接触する背面接触部と、両側の切抜き部１７とで表示片１１の背面側は支持される。これらの前後両面の支持作用と両側の切抜き部１７の支持作用とによって、表示片１１は半割ダミーボトル１４の傾斜面部１４ｃに安定して取付けられる。
【００２１】
次に、表示片１１を半割ダミーボトル１４に取付ける場合の取付け動作を図６の取付け説明図を参照して説明する。  
まず、図６(Ａ)に示すように、広告情報１２ａ(図１参照)を印刷してなる表示部１２と取付け部１３とを有するシート状の前記表示片１１を用意し、この表示片１１の上側シート１３ａと下側シート１３ｂとを左右別々の手で持ち、図６(Ｂ)に示すように、上側シート１３ａを前面側ｂ１(図中右斜め上の矢印方向)に引っ張って引離し、下側シート１３ｂを背面側ｂ２(図中左斜め下の矢印方向)に引っ張って引離し、曲線切込みライン１５間を前後に大きく引離して円形状の開口１３ｃを形成する。この開口１３ｃを、図６(Ｃ)に示すように、半割ダミーボトル１４の首部１４ａから被せるごとく挿通させて、傾斜面部１４ｃの位置で離せば、表示片１１は元の平面状態に戻る復帰力によって、開口１３ｃが閉じようとする過程で半割ダミーボトル１４の傾斜面部１４ｃを前後面から挟持して該表示片１１が半割ダミーボトル１４に取付けられる(図２参照)。
【００２２】
このとき、表示片１１は半割ダミーボトル１４の前面側では中央部の舌片１６の先端が傾斜面部１４ｃに略垂直に当接して、該舌片１６の上方の表示部１２が正面を向いた表示すべき方向に起立して支持される。また、表示片１１は半割ダミーボトル１４の両側では左右の切抜き部１７が半割稜線部１４ｅに係止されて左右の幅方向が位置規制され、表示部１２は半割ダミーボトル１４の中央正面に自然に位置決めされて取付けられる。さらに、半割ダミーボトル１４の背面側では下側シート１３ｂの開口縁が傾斜面部１４ｃの背面側より、その半割形状の凹形面に沿って線接触して長く当接し、接触領域を長くとることができ、また下側シート１３ｂが撓んで弾性対応する。このため、表示片１１は半割ダミーボトル１４を前後左右の周囲から抱え込むようにして安定して取付けられる。さらに、表示片１１の取付け部１３は透明なため、この取付け部１３は透視され、半割ダミーボトル１４の前面が取付け部１３によって隠れるような不具合もない。
【００２３】
上述のように、曲線切込みラインを境にして表示片を開口することにより、この表示片を半割ダミーボトルに簡単に取付けることができる。また、表示片を取付けたときに、半割ダミーボトルの傾斜面部の前面側では舌片が対応し、傾斜面部の背面側では下側シートが対応し、傾斜面部の両側では抜止め部が対応して、半割ダミーボトルの外周囲を囲むごとく半割形状に沿って安定した取付けができる。ことに、曲線切込みラインの曲線部が傾斜面部に沿って長く線接触するため安定感が増し、また舌片によって表示部を自然に垂直に起立させることができるため表示片の取付け作業能率が向上する。
【００２４】
この考案の構成と、上述の実施例の構成との対応において、
この考案の係止部は、実施例の切抜き部１７に対応するも、この考案は請求項に記載される技術思想に基づいて応用することができ、上述の一実施例の構成のみに限定されるものではない。
【図面の簡単な説明】
【００２５】
【図１】半割ダミーボトルに取付けられる表示片の平面図。
【図２】表示片を取付けた半割ダミーボトルの斜視図。
【図３】表示片を取付けた半割ダミーボトルの要部縦断面図。
【図４】表示片を取付けた半割ダミーボトルの正面図。
【図５】表示片を取付けた半割ダミーボトルの背面図。
【図６】表示片を半割ダミーボトルに取付ける取付け説明図。
【符号の説明】
【００２６】
１１…表示片
１２…表示部
１３…取付け部
１３ａ…上側シート
１３ｂ…下側シート
１４…半割ダミーボトル
１４ｃ…傾斜面部
１５…曲線切込みライン
１６…舌片
１７…切抜き部
【図１】
0003116089.tif 000003
【図２】
0003116089.tif 000004
【図３】
0003116089.tif 000005
【図４】
0003116089.tif 000006
【図５】
0003116089.tif 000007
【図６】
0003116089.tif 000008